(57)【要約】      （修正有）【課題】充分なセキュリティを確保することができると共にその使い勝手の良い情報管理装置及び情報検索装置を提供することである。【解決手段】ファイル情報を取得するファイル情報取得手段Ｓ１と、顔の情報をバイオメトリクス情報として取得するバイオメトリクス情報取得手段Ｓ４と、前記バイオメトリクス情報と前記ファイル情報とを対応付けて記憶手段に記憶させる制御手段Ｓ８とを有する構成とする。入力されたバイオメトリクス情報に対応して記憶手段に記憶されたファイル情報を検索するファイル検索手段を有する。【選択図】図２
2006277097.tif 000002
【特許請求の範囲】
【請求項１】
ファイル情報を取得するファイル情報取得手段と、
バイオメトリクス情報を取得するバイオメトリクス情報取得手段と、
前記バイオメトリクス情報と前記ファイル情報とを対応付けて記憶手段に記憶させる制御手段とを有する情報管理装置。
【請求項２】
前記バイオメトリクス情報取得手段は、顔の情報を前記バイオメトリクス情報として取得し、
前記制御手段は、前記顔の情報と前記ファイル情報とを対応付けて記憶手段に記憶させることを特徴とする請求項１記載の情報管理装置。
【請求項３】
前記制御手段は、前記ファイル情報を記憶手段に記憶させるファイル記憶制御手段と、
前記バイオメトリクス情報に対応した識別情報と前記記憶手段における前記ファイル情報の格納位置情報とを関連付ける管理情報を生成して前記記憶手段に記憶させる管理情報生成手段とを有することを特徴とする請求項１または２記載の情報管理装置。
【請求項４】
バイオメトリクス情報とファイル情報とを対応付けて記憶する記憶手段と、
バイオメトリクス情報を取得するバイオメトリクス情報取得手段と、
入力された前記バイオメトリクス情報に対応して前記記憶手段に記憶されたファイル情報を検索するファイル検索手段とを有することを特徴とする情報検索装置。
【請求項５】
前記ファイル検索手段は、入力された前記バイオメトリクス情報に一致するバイオメトリクス情報が前記記憶手段に前記ファイル情報に対応付けられて記憶されているか否かを判定する一致判定手段と、
前記各バイオメトリクス情報が一致したときに、そのバイオメトリクス情報に対応したファイル情報を検索結果として出力することを特徴とする請求項４記載の情報検索装置。
【請求項６】
前記記憶手段は、前記バイオメトリクス情報としての顔の情報とファイル情報とを対応づけて記憶し、
前記バイオメトリクス情報取得手段は、顔の情報を前記バイオメトリクス情報として取得することを特徴とする請求項４または５記載の情報検索装置。
【発明の詳細な説明】
【技術分野】
【０００１】
本発明は、ファイル情報を検索可能に管理する情報管理装置及びそのように管理されるファイル情報を検索する情報検索装置に関する。
【背景技術】
【０００２】
従来、画像情報等のファイル情報を効率的に検索できるように保存管理する電子ファイル装置が提案されている（例えば、特許文献１参照）。この種の電子ファイル装置は、ファイル情報を識別するための識別情報と当該ファイル情報とを対応付けて管理している。そして、ファイル情報を利用する場合には、識別情報を電子ファイル装置に入力すると、電子ファイル装置がその識別情報に対応したファイル情報を検索して出力するようにしている。このように、この種の電子ファイル装置は、ファイル情報を対応する識別情報に対応付けて管理する機能（情報管理装置）と、ファイル情報を利用する際に識別情報に基づいて対応するファイル情報を検索する機能（情報検索装置）とを有する。
【特許文献１】特開平５−３０３５９６号公報参照
【発明の開示】
【発明が解決しようとする課題】
【０００３】
ところで、前述したような電子ファイル装置では、通常、利用者が決めた識別情報に対応付けてファファイル情報が管理されることとなるが、その電子ファイル装置を複数の者で共同利用する場合、セキュリティを考慮して、一般に前記識別情報の情報量（例えば、桁数）が多くなる。このように識別情報の情報量が多くなると、その識別情報を電子ファイル装置に入力すること自体が面倒になり、また、その管理も面倒になる。例えば、その多くの情報量からなる識別情報を忘れてしまうと、対応するファイル情報を利用することができなくなってしまう。
【０００４】
また、識別情報とは別に、パスワード等のセキュリティ情報を付加してファイル情報を管理することも考えられる。しかし、この場合も識別情報及びセキュリティ情報の双方を電子ファイルに入力する必要があり、また、その双方の情報を個人管理しなければならないことにより、前述した状況は変わらない。
【０００５】
このように、ファイル情報の管理機能とその検索機能とを有する従来の電子ファイル装置は、利用者にとって必ずしも利用し易いものではなかった。
【０００６】
本発明は、このような事情に鑑みてなされたもので、充分なセキュリティを確保することができると共にその使い勝手の良い情報管理装置及び情報検索装置を提供するものである。
【課題を解決するための手段】
【０００７】
本発明に係る情報管理装置は、ファイル情報を取得するファイル情報取得手段と、バイオメトリクス情報を取得するバイオメトリクス情報取得手段と、前記バイオメトリクス情報と前記ファイル情報とを対応付けて記憶手段に記憶させる制御手段とを有する構成となる。
【０００８】
このような構成により、ファイル情報と、特に個人管理の必要のない生体の特徴を表す情報となるバイオメトリクス情報とが取得されると、前記ファイル情報が前記バイオメトリクス情報に対応付けて記憶手段に記憶される。
【０００９】
また、本発明に係る情報管理装置は、前記バイオメトリクス情報取得手段が、顔の情報を前記バイオメトリクス情報として取得し、前記制御手段が、前記顔の情報と前記ファイル情報とを対応付けて記憶手段に記憶させる構成とすることができる。
【００１０】
このような構成により、顔の情報に対応させてファイル情報を記憶手段に記憶させて管理することができるようになる。また、一人の個人が顔の表情を変えて複数種類の顔の情報（バイオメトリクス情報）を取得させることにより、ファイル情報を複数の種類に分けて記憶手段に記憶して管理することが可能となる。
【００１１】
また、本発明に係る情報管理装置は、前記制御手段が、前記ファイル情報を記憶手段に記憶させるファイル記憶制御手段と、前記バイオメトリクス情報に対応した識別情報と前記記憶手段における前記ファイル情報の格納位置情報とを関連付ける管理情報を生成して前記記憶手段に記憶させる管理情報生成手段とを有する構成とすることができる。
【００１２】
このような構成により、ファイル情報をバイオメトリクス情報に対応させて容易に管理することができるようになる。
【００１３】
本発明に係る情報検索装置は、バイオメトリクス情報とファイル情報とを対応付けて記憶する記憶手段と、バイオメトリクス情報を取得するバイオメトリクス情報取得手段と、入力された前記バイオメトリクス情報に対応して前記記憶手段に記憶されたファイル情報を検索するファイル検索手段とを有する。
【００１４】
このような構成により、バイオメトリクス情報を取得すると、そのバイオメトリクス情報に対応して記憶手段に記憶されるファイル情報が検索され、利用することが可能となる。
【００１５】
また、本発明に係る情報検索装置は、前記ファイル検索手段が、入力された前記バイオメトリクス情報に一致するバイオメトリクス情報が前記記憶手段に前記ファイル情報に対応付けられて記憶されているか否かを判定する一致判定手段と、前記各バイオメトリクス情報が一致したときに、そのバイオメトリクス情報に対応したファイル情報を検索結果として出力する構成とすることができる。
【００１６】
また、本発明に係る情報検索装置は、前記記憶手段が、前記バイオメトリクス情報としての顔の情報とファイル情報とを対応づけて記憶し、前記バイオメトリクス情報取得手段が、顔の情報を前記バイオメトリクス情報として取得する構成とすることができる。
【発明の効果】
【００１７】
本発明によれば、ファイル情報が、特に個人管理の必要のない、かつ、個人特有の生体の特徴を表す情報となるバイオメトリクス情報に対応付けられて記憶、管理されるようになるので、特にパスワードを用いなくても充分なセキュリティが確保できると共に、ファイル情報を特定する情報の管理、入力が容易となって使い勝手の良い情報管理装置及び情報検索装置を実現することができるようになる。
【発明を実施するための最良の形態】
【００１８】
以下、本発明に係る実施の形態について、図面を用いて説明する。
【００１９】
本発明の実施の一形態に係る情報管理装置及び情報検索装置が適用されるシステムは、図１に示すように構成される。この例では、スキャナ、プリンタを有するマルチファンク機に情報管理装置及び情報検索装置が適用されている。
【００２０】
図１において、このシステムは、データ処理部１０、スキャナ１１、プリンタ１２、コントロールパネル１３、データ蓄積部（記憶手段）１４及びバイオメトリクス情報入力部２０を有している。スキャナ１１は、ＣＣＤ等の光電変換器を有し、原稿を走査して光学的に読み取り、対応する画像信号を出力する。プリンタ１２は、データ処理部１０から転送される画像データに基づいてプリント処理を行ない、前記画像データに対応した画像をプリント出力する。コントロールパネル１３は、操作部及び表示部を有し、操作部の操作に応じた信号（操作信号）をデータ処理部１０に供給し、また、データ処理部１０からの各種表示データに基づいた情報を表示部に表示する。データ蓄積部１４は、スキャナ１１からの画像信号に対応した画像データや種々の管理情報を読出し可能に保存する。
【００２１】
バイオメトリクス情報入力部２０は、利用者の顔を撮影するカメラと、該カメラによる撮影にて得られた顔画像から所定のアルゴリズムに従ってバイメトリクス情報（生体の特徴を表す情報）としての特徴情報を抽出する処理部を有している。なお、この例では、顔の特徴情報をバイオメトリクス情報として利用するものであるが、生体の特徴を表す他の情報、例えば、指紋、虹彩、手のひらの静脈パターン、声紋等の特徴情報をバイオメトリクス情報として利用することもできる。
【００２２】
データ処理部１０は、スキャナ１１からの画像信号を所定の形式の画像データに変換し、その画像データをバイオメトリクス情報入力部２０からの特徴情報に関連付けてデータ蓄積部に保存するための処理（バイオ対応保存処理）を行なう。データ処理部１０は、また、バイオメトリクス情報入力部２０からの特徴情報に対応付けてデータ蓄積部１４に保存された画像データを検索するための処理（検索処理）を行ない、その処理にて得られた画像データをプリンタ１２にプリント出力させる。
【００２３】
データ処理部１０は、図２に示す手順に従って、顔画像に対応した特徴情報とスキャナ１１からの読取り画像データとを関連付けて保存する。
【００２４】
図２において、データ処理部１０は、利用者がセットした原稿を走査するスキャナ１１からの前記原稿に対応した画像信号を入力すると、その画像信号を所定のフォーマットの画像データに変換し、該画像データをファイル情報としてデータ蓄積部１４に保存する（Ｓ１）。その後、データ処理部１０は、コントロールパネル１３の表示部に顔画像の入力指示メッセージを表示させ（Ｓ２）、顔画像の入力完了を監視する（Ｓ３）。前記メッセージに従って利用者がバイオメトリクス情報入力部２０のカメラにて自分の顔を撮影すると、バイオメトリクス情報入力部２０の処理部が撮影により得られた顔画像から所定のアルゴリズムに従って特徴情報を抽出し、その特徴情報をデータ処理部１０に転送する。
【００２５】
顔画像の入力完了を監視しているデータ処理部１０は、バイオメトリクス情報入力部２０から顔画像の特徴情報が送られてくると、顔画像の入力が完了したものと判定し（Ｓ３でＹＥＳ）、その顔画像の特徴情報を取得する（Ｓ４）。そして、データ処理部１０は、データ蓄積部１４に予め保存された図３に示すようなバイオメトリクス情報管理テーブルを検索し（Ｓ５）、その取得した顔画像の特徴情報が既に登録されているか否かを判定する（Ｓ６）。
【００２６】
図３に示すバイオメトリクス情報管理テーブルは、バイオメトリクス情報入力部２０にて抽出された顔画像の特徴情報を管理番号に対応付けて管理している。具体的には、丸顔のある利用者の顔画像の特徴情報（例えば、１０項目のＡ１、Ｂ１、Ｃ１、Ｄ１、Ｅ１、Ｆ１、Ｇ１、Ｈ１、Ｉ１、Ｊ１）が管理番号Ａａａに対応付けられ、面長の顔のある利用者の顔画像の特徴情報（１０項目のＡ２、Ｂ２、Ｃ２、Ｄ２、Ｅ２、Ｆ２、Ｇ２、Ｈ２、Ｉ２、Ｊ２）が管理番号Ｂｂｂに対応付けられ、角顔のある利用者の顔画像の特徴情報（１０項目のＡ２、Ｂ２、Ｃ２、Ｄ２、Ｅ２、Ｆ２、Ｇ２、Ｈ２、Ｉ２、Ｊ２）が管理番号Ｃｃｃに対応付けられている。
【００２７】
また、データ蓄積部１４には図４に示すような画像データ保存管理テーブルが予め格納されている。この画像データ保存管理テーブルは、スキャナ１１にて読み取られた原稿に対応した画像データの格納アドレスを前記顔画像の特徴情報を特定する管理番号に対応付けて管理している。具体的には、前記丸顔の利用者の操作に基づいてスキャナ１１が読み取った原稿に対応する画像データ１の格納アドレス（Address 1）が前記丸顔利用者の顔画像の特徴情報を特定する管理番号Ａａａに対応付けられ、前記面長の顔の利用者の操作に基づいてスキャナ１１が読み取った原稿に対応する画像データ２の格納アドレス（Address 2）が前記面長顔利用者の顔画像の特徴情報を特定する管理番号Ｂｂｂに対応付けられ、前記角顔の利用者の操作に基づいてスキャナ１１が読み取った原稿に対応する画像データ３の格納アドレス（Address 3）が前記角顔利用者の顔画像の特徴情報を特定する管理番号Ｃｃｃに対応付けられている。
【００２８】
図２に戻って、データ処理部１０は、取得した顔画像の特徴情報の各項目と前記バイオメトリクス情報管理テーブルに登録されている各特徴情報の対応する項目との一致度合を演算し（Ｓ５）、前記取得した顔画像の特徴情報と一致する特徴情報が前記バイオメトリクス情報管理テーブルに登録されていないと判定すると（Ｓ６でＮＯ）、コントロールパネル１３の表示部に新規登録を促すメッセージを表示させる。そして、データ処理部１０は、コントロールパネル１３から新規登録操作に係る操作信号が送られてくるか否かを判定する（Ｓ７）。利用者が前記メッセージに従ってコントロールパネル１３の操作部にて新規登録操作を行なうと（Ｓ７でＹＥＳ）、データ処理部１０は、図３に示すバイオメトリクス情報管理テーブルに前記取得した顔画像の特徴情報を新たに発行する管理番号に対応付けて登録し、前述したようにデータ蓄積部１４に保存した画像データの格納アドレスを図４に示す画像データ保存管理テーブルに前記新たに発行された管理番号に対応付けて登録する（Ｓ８）。これにより、スキャナ１１にて読取られた原稿に対応する画像データが、利用者の顔画像の特徴情報（バイオメトリクス情報）に対応付けられて管理されるようになる。
【００２９】
前記特徴情報の検索処理（Ｓ５）により、前記取得した顔画像の特徴情報と一致する特徴情報が前記バイオメトリクス情報管理テーブル（図３参照）に既に登録されているとの判定がなされると（Ｓ６でＹＥＳ）、データ処理部１０は、その登録されている顔画像の特徴情報を特定する管理番号に対応づけるようにデータ蓄積部１４に保存された画像データの格納アドレスを前記画像データ保管管理テーブル（図４参照）に登録する（Ｓ８）。
【００３０】
また、前記特徴情報の検索処理（Ｓ５）により、前記取得した顔画像の特徴情報と一致する特徴情報が前記バイオメトリクス情報管理テーブル（図３参照）に登録されておらず（Ｓ６でＮＯ）、更に、利用者による新規登録の操作がなされなかった場合（Ｓ７でＮＯ）、データ処理部１０は、一端データ蓄積部１４に保存した画像データをプリンタ１２に送り、プリンタ１２にて該画像データに基づいたプリント出力がなされる。
【００３１】
前述したように画像データ（ファイル情報）の保存・管理機能を有するマルチファンクション機では、利用者の顔画像の特徴情報と画像データとが対応付けて管理されるようになるので、利用が画像データを特定するための情報（識別情報）やパスワードを特別に決めて入力しなくても、充分なセキュリティを確保して画像データを保存、管理することができるようになる。
【００３２】
次に、前述したように利用者の顔画像の特徴情報（バイオメトリクス情報）に対応付けられて管理される画像データの再生処理について説明する。この再生処理は、図５に示す手順に従ってなされる。
【００３３】
図５において、利用者がコントロールパネル１３にて画像再生に係る操作を行なうと、データ処理部１０は、その操作信号に基づいてコントロールパネル１３の表示部に顔画像の入力指示メッセージを表示させ（Ｓ１１）、顔画像の入力完了を監視する（Ｓ１２）。前記メッセージに従って利用者がバイオメトリクス情報入力部２０のカメラにて自分の顔を撮影すると、バイオメトリクス情報入力部２０の処理部が撮影により得られた顔画像から所定のアルゴリズムに従って特徴情報を抽出し、その特徴情報をデータ処理部１０に転送する。
【００３４】
顔画像の入力完了を監視しているデータ処理部１０は、バイオメトリクス情報入力部２０から顔画像の特徴情報が送られてくると、顔画像の入力が完了したものと判定し（Ｓ１２でＹＥＳ）、その顔画像の特徴情報を取得する（Ｓ１３）。そして、データ処理部１０は、前記バイオメトリクス情報管理テーブル（図３参照）を検索し（Ｓ５）、その取得した顔画像の特徴情報が既に登録されているか否かを判定する（Ｓ１５）。
【００３５】
データ処理部１０は、前記取得した顔画像の特徴情報と一致する特徴情報が前記バイオメトリクス情報管理テーブル（図３参照）に既に登録されているとの判定を行なうと（Ｓ１５でＹＥＳ）、その特徴情報に対応した画像データの読出し処理を行なう（Ｓ１６）。具体的には、データ処理部１０は、画像データ保存管理テーブル（図４参照）を参照して、前記バイオメトリクス情報管理テーブルにおいて前記特徴情報を特定する管理番号に対応した画像データの格納アドレスを取得し、その格納アドレスに格納された画像データをデータ蓄積部１４から読み出す。そして、データ処理部１０は、その読み出した画像データをプリンタ１２に送り（Ｓ１７）、プリンタ１２にてその画像データに基づいたプリント出力がなされる。
【００３６】
一方、前記取得した顔画像の特徴情報と一致する特徴情報が前記バイオメトリクス情報管理テーブルに登録されていないとの判定がなされると（Ｓ１５でＮＯ）、データ処理部１０は、所定の不一致処理を実行して（Ｓ１８）当該再生処理を終了する。前記不一致処理によりは、例えば、顔画像が一致していないので要求に応じられない旨のメッセージがコントロールパネル１３の表示部にされる。
【００３７】
前述したように画像データ（ファイル情報）の検索機能を有するマルチファンクション機では、利用者は、画像データを特定するための情報（識別情報）やパスワードを入力しなくても、自分の顔を撮影するだけで、その顔画像の特徴情報に対応して保存、管理される画像データの検索が可能となる。その結果、保存、管理された画像データを容易に利用（プリントアウト）することができるようになる。
【００３８】
バイオメトリクス情報（顔画像の特徴情報）を用いて画像データ（ファイル情報）の保存・管理及びその検索を行なう前記マルチファンクション機によれば、画像データが、特に個人管理の必要のない、かつ、個人特有の顔画像の特徴情報に対応付けられて記憶、管理され、その顔画像の特徴情報に基づいて対応する画像データを検索できるので、特にパスワードを用いなくても充分なセキュリティが確保できると共に、画像データを特定する情報の管理、入力が容易となって使い勝手の良いものとなる。
【００３９】
なお、前述した例では、一人の利用者に対して単一の顔画像の特徴情報が取得、登録されるものであったが、顔の表情を変えてその顔画像の特徴情報を取得、登録させることにより、各利用者は、複数の種類の画像データ（ファイル情報）を管理させることができるようになる。この場合、図６に示すように、表情の異なる複数の顔画像のそれぞれから特徴情報（通常の顔の特徴情報：Ａ２、Ｂ２、Ｃ２、Ｄ２、Ｅ２、Ｆ２、Ｇ２、Ｈ２、Ｉ２、Ｊ２）、（怒った顔の特徴情報：Ａ21、Ｂ21、Ｃ21、Ｄ21、Ｅ21、Ｆ21、Ｇ21、Ｈ21、Ｉ21、Ｊ21）、（悲しい顔の特徴情報：Ａ22、Ｂ22、Ｃ22、Ｄ22、Ｅ22、Ｆ22、Ｇ22、Ｈ22、Ｉ22、Ｊ22）が抽出され、バイオメトリクス管理テーブルにおいて、各特徴情報と管理番号Ｂｂｂ１、Ｂｂｂ２、Ｂｂｂ３とが対応付けられて管理される。そして、各顔の表情に対応した特徴情報に対応させて画像データの格納アドレスが画像データ格納管理テーブル（図４参照）にて管理される。
【００４０】
利用者は、表情を変えて自分の顔を撮影させることにより、各顔の表情に対応して画像データを保存、管理させること、また、各顔の表情に対応した画像データを検索して利用することができるようになる。
【００４１】
なお、前述した例では、マルチファンクション機に適用された情報管理装置及び情報検索装置について説明したが、それに限られることなく、本発明に係る情報管理装置及び情報検索装置は、電子ファイル装置等の他の装置にも適用することも可能である。
【００４２】
また、ファイル情報の利用形態は、プリント出力だけでなく、表示出力、あるいは、他の機器への送信出力等、他の形態であってもよい。
【産業上の利用可能性】
【００４３】
本発明に係る情報管理装置及び情報検索装置は、特にパスワードを用いなくても充分なセキュリティが確保できると共に、ファイル情報を特定する情報の管理、入力が容易となってその使い勝手の良くなるという効果を有し、ファイル情報を検索可能に管理する情報管理装置及びそのように管理されるファイル情報を検索する情報検索装置として有用である。
【図面の簡単な説明】
【００４４】
【図１】本発明の実施の形態に係る情報管理装置及び情報検索装置が適用されるシステムを示すブロック図である。
【図２】図１に示すシステムにおけるデータ処理部での読取り画像データ保存に係る処理手順を示すフローチャートである。
【図３】バイオメトリクス情報管理テーブルを示す図である。
【図４】画像データ保存管理テーブルを示す図である。
【図５】データ処理部での画像データの再生に係る処理手順を示すフローチャートである。
【図６】バイオメトリクス管理テーブルの他の一例を示す図である。
【符号の説明】
【００４５】
１０  データ処理部
１１  スキャナ
１２  プリンタ
１３  コントロールパネル
１４  データ蓄積部（記憶手段）
２０  バイオメトリクス情報入力部
【図１】
2006277097.tif 000003
【図２】
2006277097.tif 000004
【図３】
2006277097.tif 000005
【図４】
2006277097.tif 000006
【図５】
2006277097.tif 000007
【図６】
2006277097.tif 000008